(57)【要約】【課題】液晶表示装置及びその駆動方法を提供する。【解決手段】複数のデータＩＣを備えた液晶表示装置の駆動方法において、反転画面を指示する選択信号が入力されると、メモリに保存されているデータを入力順序と相反する順序に出力する段階と、複数のデータＩＣにおいてメモリからの出力データを順次にラッチし、複数のデータラインを駆動する段階と、複数のゲートＩＣを順次に駆動し、複数のゲートラインを駆動する段階とを備える。【選択図】図３
2007272180.tif 000002
【特許請求の範囲】
【請求項１】
複数のゲートラインと複数のデータラインとによって定義される領域ごとに画素セルが形成された液晶パネルと、
前記データラインにデータ信号を供給する複数のデータドライバと、
前記ゲートラインにゲート信号を供給する複数のゲートドライバと、
一つのフィールド画像データを保存するためのメモリを含み、前記データドライバ及びゲートドライバを制御し、前記液晶パネルに正常画面または反転画面を表示するために、保存されているデータの出力順序を変更して前記データドライバに供給するタイミングコントローラと、
を備える、液晶表示装置。
【請求項２】
前記データドライバは、
前記液晶パネルの第１側に配置され、メモリからのデータがカスケード方式で供給される複数のデータＩＣを備えることを特徴とする、請求項１に記載の液晶表示装置。
【請求項３】
前記ゲートドライバは、
前記液晶パネルの第２側に配置され、ゲート駆動信号がカスケード方式で供給される複数のゲートＩＣを備えることを特徴とする、請求項２に記載の液晶表示装置。
【請求項４】
前記メモリは、選択信号に応答して、保存されているデータの出力順序を選択することを特徴とする、請求項１に記載の液晶表示装置。
【請求項５】
前記メモリは、
前記選択信号が正常画面を指示する場合、保存されているデータを入力信号と同じ順序で出力し、
前記選択信号が反転画面を指示する場合、保存されているデータを入力信号とは反対の順序で出力することを特徴とする、請求項４に記載の液晶表示装置。
【請求項６】
前記複数のデータＩＣ及び複数のゲートＩＣは、前記正常画面又は反転画面とにかかわらず、同じ方向に駆動されることを特徴とする、請求項３に記載の液晶表示装置。
【請求項７】
前記タイミングコントローラは、
前記正常画面及び反転画面とにかかわらず、前記複数のデータＩＣのうち１番目のデータＩＣにソーススタートパルスを、前記複数のゲートＩＣのうち１番目のゲートＩＣにゲートスタートパルスを供給することを特徴とする、請求項３に記載の液晶表示装置。
【請求項８】
１フレームのデータをメモリに保存する段階と、
選択信号が反転画面を指示する場合、前記メモリに保存されているデータを入力順序と相反する順序で出力する段階と、
複数のデータＩＣにおいて前記出力データを順次にラッチし、複数のデータラインを駆動する段階と、
複数のゲートＩＣを順次に駆動し、複数のゲートラインを駆動する段階と、
を備える、液晶表示装置の駆動方法。
【請求項９】
前記複数のデータＩＣのうち１番目のデータＩＣにソーススタートパルスを供給する段階と、
前記複数のゲートＩＣのうち１番目のゲートＩＣにゲートスタートパルスを供給する段階と、
をさらに含むことを特徴とする、請求項８に記載の方法
【請求項１０】
１フレームのデータをメモリに保存する段階と、
前記メモリに保存されているデータの出力順序を変換し、正常画面又は反転画面に従って出力する段階と、
複数のデータＩＣにおいて前記メモリからの出力データを順次にラッチし、複数のデータラインを駆動する段階と、
複数のゲートＩＣを順次に駆動し、複数のゲートラインを駆動する段階と、
を備える、液晶表示装置の駆動方法。
【請求項１１】
前記メモリが、選択信号が正常画面を指示する場合、保存されているデータを入力信号と同じ順序で出力し、前記選択信号が反転画面を指示する場合、保存されているデータを入力信号とは反対の順序で出力することを特徴とする、請求項１０に記載の液晶表示装置の駆動方法。
【請求項１２】
前記複数のデータＩＣ及び複数のゲートＩＣは、前記正常画面又は反転画面とにかかわらず、同じ方向に駆動されることを特徴とする、請求項１０に記載の液晶表示装置の駆動方法。
【請求項１３】
前記複数のデータＩＣのうち１番目のデータＩＣにソーススタートパルスを供給し、
前記複数のゲートＩＣのうち１番目のゲートＩＣにゲートスタートパルスを供給することを特徴とする、請求項１０に記載の液晶表示装置の駆動方法。
【発明の詳細な説明】
【技術分野】
【０００１】
本発明は、液晶表示装置及びその駆動方法に係り、特に、画像表示部に正常画面と上下左右反転した画面を表示する液晶表示装置及びその駆動方法に関する。
【背景技術】
【０００２】
近来、陰極線管の短所とされる重さと体積を低減できる各種の平板表示装置が台頭してきている。かかる平板表示装置には、液晶表示装置（Liquid Crystal Display）、電界放出表示装置（Field Emission Display）、プラズマ表示パネル（Plasma Display Panel）及び発光表示装置（Light Emitting Display）などがある
【０００３】
なかでも、液晶表示装置は、解像度、カラー表示及び画質などに優れている点から、ノート型コンピュータ、デスクトップのモニター及びモバイル用端末器に活発に適用されている。
【０００４】
液晶表示装置は、電界を用いて液晶の光透過率を調節することによって画像を表示する。このため、液晶表示装置は、液晶セルを有する液晶パネルと、液晶パネルに光を照射するバックライトユニットと、液晶セルを駆動するための駆動回路とを備えて構成される。
【０００５】
ここで、駆動回路は、液晶セルを駆動するための集積回路（ＩＣ）を備え、前記ＩＣを液晶パネルに接続する方式によって、ＴＣＰ（Tape Carrier Package）、ＣＯＦ（chip on film）及びＣＯＧ（chip on glass）等の方式に分けられる。
【０００６】
図１は、関連技術によるＣＯＧ方式を用いた液晶表示装置を概略的に示す図である。
【０００７】
図１を参照すると、関連技術によるＣＯＧ方式を用いた液晶表示装置は、複数のゲートラインＧＬとデータラインＤＬによって定義される領域ごとに画素セルＰが形成された液晶パネル１０と、液晶パネル１０の第１側に直接組み込まれ、データラインＤＬにデータ信号を供給するデータＩＣ２０と、各データＩＣ２０にデータ駆動信号を供給する第１ＦＰＣ（Flexible Printed Circuit）３０と、液晶パネル１０の第２側に直接組み込まれ、ゲートラインＧＬにゲートパルス信号を供給するゲートＩＣ４０と、各ゲートＩＣ４０にゲート駆動信号を供給する第２ＦＰＣ５０とを備える。
【０００８】
このような従来技術によるＣＯＧ方式を用いた液晶表示装置は、複数のデータ及びゲートＩＣを駆動するために高価な第１及び第２ＦＰＣを使用しなければならず、液晶表示装置のコスト増加を招くという欠点があった。
【０００９】
そこで、一つのＦＰＣが第１データＩＣ及び第１ゲートＩＣの両方に接続されるようにすることによって、製造コストの低減を図った液晶表示装置が提供された。これについて具体的に説明すると、次の通りである。
【００１０】
図２Ａ及び図２ｂを参照すると、従来技術による一つのＦＰＣが備えられた液晶表示装置は、複数のゲートラインＧＬとデータラインＤＬとによって定義される領域ごとに画素セルＰが形成された液晶パネル１１０と、データＩＣ１２０ａ〜１２０ｄとゲートＩＣ１４０ａ，１４０ｂを駆動する制御ボード１５０と、液晶パネル１１０と制御ボード１５０間に接続されたＦＰＣ１３０と、液晶パネル１１０の第１側に直接組み込まれてカスケード(cascade)方式で接続され、データラインＤＬにデータ信号を供給する複数のデータＩＣ１２０ａ〜１２０ｄと、液晶パネル１１０の第２側に直接組み込まれてカスケード方式で接続され、ゲートラインＧＬにゲートパルス信号を供給する複数のゲートＩＣ１４０ａ，１４０ｂとを備えて構成される。
【００１１】
ＦＰＣ１３０は、下部基板１１０の第１側に形成された第１領域と接続され、下部基板１１０の第２側に形成された第２領域と接続され、コネクタを介して制御ボード１５０と接続される。
【００１２】
第１領域は、複数のデータＩＣ１２０ａ〜１２０ｄが組み込まれたデータＣＯＧ領域と、ＦＰＣ１３０にデータＩＣ１２０ａ〜１２０ｄをカスケード方式で接続させるための複数のデータＬＯＧ（Line On Glass）１２４と、データＩＣ１２０ａ〜１２０ｄとデータラインＤＬを接続させる複数のデータパッドとを備える。
【００１３】
第２領域は、複数のゲートＩＣ１４０ａ，１４０ｂが組み込まれたゲートＣＯＧ領域と、ＦＰＣ１３０にゲートＩＣ１４０ａ，１４０ｂをカスケード方式で接続させるための複数のゲートＬＯＧ１４４とを備える。
【００１４】
制御ボード１５０は、データＩＣ１２０ａ〜１２０ｄ及びゲートＩＣ１４０ａ，１４０ｂを制御するタイミングコントローラ１５２と、駆動電源を発生する電源発生部１５４と、ＦＰＣ１３０と接続されたコネクタとを備える。
【００１５】
複数のデータＩＣ１２０ａ〜１２０ｄは、データＣＯＧ領域に組み込まれ、データＬＯＧ１２４を介してＦＰＣ１３０と直列に接続される。データＩＣ１２０ａ〜１２０ｄは、カスケード方式で供給されたデジタルデータを順次にラッチ（ｌａｔｃｈ）し、ラッチしたデジタルデータをアナログデータ信号に変換してデータラインＤＬに供給する。
【００１６】
すなわち、第１データＩＣ１２０ａは、ＦＰＣ１３０と接続された１番目のデータＬＯＧ１２４を介して制御ボード１５０からのデータ駆動信号、すなわち、データ信号、データ制御信号及びデータ駆動電源が供給される。第２データＩＣ１２０ｂは、ＦＰＣ１３０、１番目のデータＬＯＧ１２４、第１データＩＣ１２０ａ、２番目のデータＬＯＧ１２４を介して制御ボード１５０からのデータ駆動信号、すなわち、データ信号、データ制御信号及びデータ駆動電源が供給される。
【００１７】
ゲートＩＣ１４０ａ，１４０ｂは、ＦＰＣ１３０と接続されたゲートＬＯＧ１４４を介して制御ボード１５０からのゲート駆動信号、すなわち、ゲート制御信号及びゲート駆動電源が供給される。ゲートＩＣ１４０ａ，１４０ｂは、ゲート制御信号によって複数のゲートラインＧＬを順次に駆動するゲートパルスを供給する。
上記のような一つのＦＰＣが備えられ、データＩＣ１２０ａ〜１２０ｄ、およびゲートＩＣ１４０ａ〜１４０ｂをカスケード方式で接続させた液晶表示装置は、上下左右方向から画面を見る主視野角によって画質特性が変化することがある。
【００１８】
例えば、ノート型コンピュータに適用される液晶表示装置は、主視野角が、画面と垂直な方向を基準に所定の角度だけ上部から見る方向に決定され、一方、公共場所や大衆交通手段（バス、列車及び航空機）に一定の高さで設置される液晶表示装置は、主視野角が、画面と垂直な方向を基準に所定の角度だけ下部から見る方向に決定される。また、乗用車の運転席と助手席との間に設置されるオーディオ・システムや各種情報表示に適用される液晶表示装置は、主視野角が、画面と垂直な方向を基準に所定の角度だけ左側または右側から見る方向に決定される。
【００１９】
したがって、液晶表示装置は、上記のような使用環境に応じて画面の上下左右反転が可能なように製作される。
【００２０】
図２Ａに示すように、液晶パネル１１０の画像表示部に、上記のような上下左右反転する画面を表示するためには、次のような駆動方法を行なう必要がある。
【００２１】
最後の第４データＩＣ１２０ｄに接続された第１データ制御信号ライン１２６ａを介して、第１データ制御信号、すなわち、第１ソーススタートパルス（ＳＳＰ１）が第４データＩＣ１２０ｄに入力されると、データＬＯＧ１２４に入力されているデータ信号のうち１番目のデータ信号から逆順次的に第４データＩＣ１２０ｄにラッチする。
【００２２】
続いて、第４データＩＣ１２０ｄに相応するデータ信号が全てラッチされると、第４データＩＣ１２０ｄは、キャリー信号（carry signal）を発生させ、このキャリー信号は、キャリー信号ライン１２５を介して、第３データＩＣ１２０ｃに入力される。すると、第３データＩＣ１２０ｃは、当該キャリー信号にイネーブルされ、データＬＯＧ１２４に入力されているデータ信号のうち、第４データＩＣ１２０ｄにラッチされたデータ信号の次のデータ信号から逆順次的に第３データＩＣ１２０ｃにラッチする。
【００２３】
このような方法で第４データＩＣ１２０ｄから第１データＩＣ１２０ａまで逆方向に１水平ライン分のデータが全てラッチされると、ラッチされたデータは同時にアナログデータ信号に変換されてデータラインＤＬに出力される。なお、第１乃至第４データＩＣ１２０ａ〜１２０ｄは、水平期間毎に、前述のように逆方向にデータをラッチし、ラッチされたデータをアナログ信号に変換してデータラインＤＬに出力する動作を繰り返す。
【００２４】
この時、上下反転のために第１ゲート制御ライン１２７ａを介して第１ゲートスタートパルス（ＧＳＰ１）が最後の第２ゲート駆動ＩＣ１４０ｂに入力される。第１ゲートスタートパルス（ＧＳＰ１）に応答して、第２ゲート駆動ＩＣ１４０ｂと第１ゲート駆動ＩＣ１４０ａは、逆順次的に駆動される。これにより、複数のゲートラインＧＬは、最後のゲートラインから最初のゲートラインまで逆順次的に駆動される。
【００２５】
このように、データＩＣ１２０ａ〜１２０ｄが逆方向にデータをラッチしてデータラインＤＬに供給し、ゲートＩＣ１４０ａ，１４０ｂが逆方向にゲートラインＧＬを駆動することで、液晶パネル１１０は上下左右反転した画面を表示する。
【００２６】
一方、図２Ｂに示すように、液晶パネル１１０の画像表示部に、上記反転する画面に相反する正常画面を表示するためには、次のような駆動方法を行なう。
【００２７】
まず、第２データ制御信号ライン１２６ｂを介して、第２データ制御信号、すなわち、第２ソーススタートパルス（ＳＳＰ２）が第１データＩＣ１２０ａに入力されると、データＬＯＧ１２４に入力されているデータ信号のうち、１番目のデータ信号から順次に、第１データＩＣ１２０ａ乃至第４データＩＣ１２０ｄにラッチされる。
【００２８】
このように、第１乃至第４データＩＣ１２０ａ〜１２０ｄに順方向に１水平ライン分のデータが全てラッチされると、ラッチされたデータは同時にアナログデータ信号に変換されてデータラインＤＬに出力される。そして、第１乃至第４データＩＣ１２０ａ〜１２０ｄは、水平期間毎に前述のように順方向にデータをラッチし、ラッチされたデータをアナログ信号に変換してデータラインＤＬに出力する動作を繰り返す。
【００２９】
第２ゲート制御ライン１２７ｂを介して第１ゲート駆動ＩＣ１４０ａに供給された第２ゲートスタートパルス（ＧＳＰ２）に応答して、ゲートＩＣ１４０ａ，１４０ｂは、１番目のゲートラインから最後のゲートラインまで順次に駆動する。
【００３０】
このように、データＩＣ１２０ａ〜１２０ｄが順方向にデータをラッチしてデータラインＤＬに供給し、ゲートＩＣ１４０ａ，１４０ｂが順方向にゲートラインＧＬを駆動することで、液晶パネル１１０は正常画面を表示する。
【発明の開示】
【発明が解決しようとする課題】
【００３１】
しかしながら、図２Ａに示すように、反転画面を表示するためにデータ駆動信号が入力される第２のデータ制御信号ライン１２６ａは、図２Ｂに示すように、正常画面を表示するためにデータ制御信号が入力される第１データ駆動信号ライン１２６ｂに比べて長くなるため、ライン抵抗が増加して信号遅延が発生し、これによるラインの信号遅延のために画面不良が生じるという問題点があった。
【００３２】
本発明は上記の問題点を解決するためのもので、その目的は、画像表示部に正常画面と上下左右反転した画面を表示する時、反転画面を表示するために入力される信号の遅延を防止できるようにした液晶表示装置及びその駆動方法を提供することにある。
【課題を解決するための手段】
【００３３】
上記目的を達成する液晶表示装置は、複数のゲートラインと複数のデータラインとによって定義される領域ごとに画素セルが形成された液晶パネルと、データラインにデータ信号を供給するデータドライバと、ゲートラインにゲート信号を供給するゲートドライバと、一つのフィールド画像データを保存し、前記データドライバ及びゲートドライバを制御し、前記液晶パネルに正常画面または反転画面を表示するために、保存されているデータの出力順序を変更して前記データドライバに供給するタイミングコントローラとを備える。
【００３４】
データドライバは、液晶表示パネルの第１側に配置される複数のデータＩＣを含み、メモリからのデータがカスケード方式で複数のデータＩＣに供給される。
【００３５】
ゲートドライバは、液晶表示パネルの第２側に配置される複数のゲートＩＣを含み、ゲート制御信号がカスケード方式で複数のゲートＩＣに供給される。
【００３６】
メモリは、選択信号に応答して、保存されているデータの出力順序を選択する。
【００３７】
前記メモリ部は、前記選択信号が正常画面を指示する場合、保存されているデータを入力順序と同じ順序で出力し、前記選択信号が反転画面を指示する場合、保存されているデータを入力順序と相反する順序で出力する。
【００３８】
前記複数のデータＩＣ及び複数のゲートＩＣは、前記正常画面又は反転画面とにかかわらず、同じ方向に駆動される。
【００３９】
前記タイミングコントローラは、前記正常画面又は反転画面とにかかわらず、前記複数のデータＩＣのうち１番目のデータＩＣにソーススタートパルスを、前記複数のゲートＩＣのうち１番目のゲートＩＣにゲートスタートパルスを供給する。
【００４０】
本発明に係る液晶表示装置の駆動方法は、１フレームのデータをメモリに保存する段階と、選択信号が反対画面を指示する場合、前記メモリに保存されているデータを入力順序と相反する順序で出力する段階と、複数のデータＩＣにおいて出力データを順次にラッチし、複数のデータラインを駆動する段階と、複数のゲートＩＣを順次に駆動し、複数のゲートラインを駆動する段階とを備える。
【００４１】
本発明に係る液晶表示装置の駆動方法は、１フレームのデータをメモリに保存する段階と、前記メモリに保存されているデータの出力順序を変換し、正常画面又は反転画面に従ってデータを出力する段階と、複数のデータＩＣにおいてメモリからの出力データを順次にラッチし、複数のデータラインを駆動する段階と、複数のゲートＩＣを順次に駆動し、複数のゲートラインを駆動する段階とを備える。
【００４２】
また、上記液晶表示装置の駆動方法は、前記複数のデータＩＣのうち１番目のデータＩＣにソーススタートパルスを供給する段階と、前記複数のゲートＩＣのうち１番目のゲートＩＣにゲートスタートパルスを供給する段階とをさらに備える。
【発明の効果】
【００４３】
本発明の液晶表示装置及びその駆動方法によれば、一つのタイミングコントローラから反転選択信号の入力によって反転画面または正常画面の表示のためのデータ信号の出力順序が変更して出力されるので、データＩＣ及びゲートＩＣは、両方向に駆動される必要がなく順方向にのみ駆動される。これにより、液晶パネルには、最初のデータＩＣに供給される一つのソーススタートパルスと最初のゲートＩＣに供給される一つのゲートスタートパルスのみが必要とされるため、最後のデータＩＣ及びゲートＩＣに供給されるスタートパルスの信号遅れによる画面不良を防止することが可能になる。
【発明を実施するための最良の形態】
【００４４】
以下、本発明に係る液晶表示装置及び駆動方法の好適な実施例について、添付の図面を参照してより詳細に説明する。
【００４５】
図３に示すように、本発明による一つのＦＰＣが備えられ、各データＩＣをカスケード方式で接続させた液晶表示装置は、複数のゲートラインＧＬとデータラインＤＬとによって定義される領域ごとに画素セルＰが形成された液晶パネル２１０と、複数のデータＩＣ２２０ａ〜２２０ｄ及びゲートＩＣ２４０ａ，２４０ｂを駆動させるためのデータ及びゲート駆動信号を発生する制御ボード２５０と、液晶パネル２１０と制御ボード２５０間に接続されたＦＰＣ２３０と、液晶パネル２１０の第１側に直接組み込まれ、データラインＤＬにデータ信号を供給するようにカスケード方式で接続された複数のデータＩＣ２２０ａ〜２２０ｄと、液晶パネル２１０の第２側に直接組み込まれ、ゲートラインＧＬにゲートパルス信号を供給するようにカスケード方式で接続された複数のゲートＩＣ２４０ａ，２４０ｂと、ＦＰＣ２３０と第１データＩＣ２２０ａ間に接続されたデータ制御信号ライン２６０と、ＦＰＣ２３０と第１ゲートＩＣ２４０ａ間に接続されたゲート制御信号ライン２７０とを備える。
【００４６】
液晶パネル２１０は、互いに対向して合着された下部基板２０２及び上部基板２０４からなる。ここで、下部基板２０２と上部基板２０４との間には液晶層が形成され、下部基板２０２と上部基板２０４間の間隔を一定に維持させるスペーサが形成される。
【００４７】
上部基板２０４には、図示せぬカラーフィルタ、共通電極、ブラックマトリクスなどが形成され、この場合、共通電極は、下部基板２０２に形成されても良い。
【００４８】
下部基板２０２には、互いに交差する複数のデータラインＤＬ及び複数のゲートラインＧＬと、複数のデータラインと複数のゲートラインとによって定義される領域に形成された薄膜トランジスタと、薄膜トランジスタに接続される画素セルとを備える。
【００４９】
薄膜トランジスタは、ゲートラインＧＬからのゲートパルス信号に応答してデータラインＤＬからのデータ駆動信号を画素セルに供給する。画素セルは、液晶層を介在して対面する共通電極と薄膜トランジスタの画素電極とから構成されるので、等価的に液晶キャパシタと表現することができる。該画素セルは、液晶キャパシタに充電されたデータ制御信号を、次のデータ制御信号が充電されるまで維持させるストレージキャパシタを含む。
【００５０】
そして、下部基板２０２の第１側に定義された第１領域には、複数のデータラインＤＬのそれぞれに接続されたデータパッド部が形成され、下部基板２０２の第２側に定義された領域には、複数のゲートラインＧＬのそれぞれに接続されたゲートパッド部が形成される。
【００５１】
第１領域は、複数のデータＩＣ２２０ａ〜２２０ｄが組み込まれたデータＣＯＧ領域と、ＦＰＣ２３０にデータＩＣ２２０ａ〜２２０ｄをカスケード方式で接続させる複数のデータＬＯＧ２２４と、ＦＰＣ２３０と第１データＩＣ２２０ａ間に接続され、ソーススタートパルス（ＳＳＰ）を供給するデータ制御信号ライン２６０と、データＩＣ２２０ａ〜２２０ｄとデータラインＤＬを接続させる複数のデータパッドとを備える。ここで、複数のデータＬＯＧ２２４は、ＦＰＣ２３０と第１データＩＣ２２０ａ間と、第２乃至第４データＩＣ２２０ｂ〜２２０ｄ間のそれぞれに形成される。複数のデータＬＯＧ２２４は、デジタルデータを転送する複数のデータ転送ライン、ソーススタートパルス（ＳＳＰ）を除くデータ制御信号を転送する複数の制御信号転送ライン、データ駆動電源を転送する複数の電源ラインとを備える。
【００５２】
第２領域は、複数のゲートＩＣ２４０ａ，２４０ｂが組み込まれたゲートＣＯＧ領域と、ＦＰＣ２３０にゲートＩＣ２４０ａ，２４０ｂをカスケード方式で接続させる複数のゲートＬＯＧ２４４と、ＦＰＣ２３０と第１ゲートＩＣ２２０ａとの間に接続され、ゲートスタートパルス（ＧＳＰ）を供給するゲート制御信号ライン２７０と、ゲートＩＣ２４０ａ，２４０ｂとゲートラインＧＬを接続させる複数のゲートパッドとを備える。ここで、複数のゲートＬＯＧ２４４は、ＦＰＣ２３０と第１ゲートＩＣ２４０ａとの間と、第１及び第２ゲートＩＣ２４０ａ，２４０ｄ間に形成される。複数のゲートＬＯＧ２４４は、ゲートスタートパルス（ＧＳＰ）を除くゲート制御信号を転送する複数の制御信号転送ライン、ゲート駆動電源を転送する複数の電源ラインとを備える。
【００５３】
ＦＰＣ２３０は、一側から突出して制御ボード２５０のコネクタ２５６に接続されるコネクタと、液晶パネル２１０に形成されたデータＬＯＧ２２４及びゲートＬＯＧ２４４と接続された複数の出力パッドとを備える。そして、ＦＰＣ２３０は、制御ボード２５０からのデジタルデータ及びデータ制御信号とデータ駆動電源を、データＬＯＧ２２４及びデータ制御信号ライン２６０に供給し、ゲート制御信号及びゲート駆動電源をゲートＬＯＧ２４４及びゲート制御信号ライン２７０に供給する。
【００５４】
制御ボード２５０には、データＩＣ２２０ａ〜２２０ｄ及びゲートＩＣ２４０ａ，２４０ｂを駆動するタイミングコントローラ２５２と、駆動電源を発生する電源発生部２５４とが実装され、ＦＰＣ２３０と接続されるコネクタ２５６が備えられる。
【００５５】
タイミングコントローラ２５２は、図４に示すように、外部からのデータＲＧＢを受信し、該データ信号ＲＧＢを液晶パネル２１０の駆動に合うように整列して出力するデータ処理部５０と、外部制御信号ＥＣＳを用いてデータＩＣ２２０ａ〜２２０ｄを制御するデータ制御信号と、ゲートＩＣ２４０ａ，２４０ｂを制御するゲート制御信号とを生成して供給する制御信号生成部５２とを備える。また、データ制御信号は、ソーススタートパルスＳＳＰ、ソースシフトクロックＳＳＣ、ソース出力イネーブルＳＯＥ、極性制御信号ＰＯＬなどを有し、ゲート制御信号は、ゲートスタートパルスＧＳＰ、ゲートシフトクロックＧＳＣ、ゲート出力イネーブルＧＯＥを有する。
【００５６】
また、タイミングコントローラ２５２には、データ処理部５０で整列された１フレームのデータ信号を保存し、液晶パネル２１０の画像表示部に、反転選択信号ＲＩによって反転画面または正常画面を表示するためにデータ信号の出力順序を反転または維持させるメモリ部５４がさらに備えられる。すなわち、データ処理部５０から出力されたデータ信号は、メモリ部５４に保存され、メモリ部５４は、反転選択信号ＲＩによって、保存されたデータ信号を入力順序と相反する順序に出力する、または入力された順序のまま出力する。
【００５７】
電源発生部２５４は、液晶パネル２１０、データＩＣ２２０ａ〜２２０ｄ及びゲートＩＣ２４０ａ，２４０ｂの駆動に必要な駆動電源を発生する。
【００５８】
複数のデータＩＣ２２０ａ〜２２０ｄは、第１領域のデータＣＯＧ領域に組み込まれ、データＩＣ２２０ａ〜２２０ｄ間は、データＬＯＧ２２４で接続される。複数のデータＩＣ２２０ａ〜２２０ｄのそれぞれは、供給されたデジタルデータをデータ制御信号によってアナログデータ信号に変換してデータラインＤＬに供給する。この時、本発明の実施例による液晶表示装置は、４個のデータＩＣ２２０ａ〜２２０ｄで構成されたものとする。
【００５９】
すなわち、第１データＩＣ２２０ａは、ＦＰＣ２３０と接続されたデータＬＯＧ２２４を介して、制御ボード２５０からデータ駆動信号、すなわち、データ信号、データ制御信号及びデータ駆動電源が供給される。そして、第１データＩＣ２２０ａは、ＦＰＣ２３０と接続されたデータ制御ライン２６０を介して、データ制御信号のうち、ソーススタートパルス（ＳＳＰ）が供給される。
【００６０】
第２データＩＣ２２０ｂは、第１データＩＣ２２０ａと、第１及び第２データＩＣ２２０ａ，２２０ｂ間に接続されたデータＬＯＧ２２４とを介して、制御ボード２５０からのデータ信号、データ制御信号及びデータ駆動電源が供給される。同じ方法で、第３及び第４データＩＣ２２０ｃ，２２０ｄもまた、前段データＩＣと接続されたデータＬＯＧ２２４を介してデータ信号、データ制御信号及びデータ駆動電源が供給される。
【００６１】
複数のゲートＩＣ２４０ａ，２４０ｂは、第２領域のゲートＣＯＧ領域に組み込まれ、ＦＰＣ２３０及びゲートＬＯＧ２４４を介して、制御ボード２５０からのゲート駆動信号、すなわち、ゲート制御信号及びゲート駆動電源が供給される。そして、ゲートＩＣ２４０ａ，２４０ｂは、ゲート制御信号によってゲートパルスを順次に生成してゲートラインＧＬに供給する。この時、本発明の実施例による液晶表示装置は、２個のゲートＩＣ２４０ａ，２４０ｂで構成されたものとする。
【００６２】
第１ゲートＩＣ２４０ａは、ＦＰＣ２３０に接続されたゲートＬＯＧ２４４を介して、制御ボード２５０からのゲート制御信号及びゲート駆動電源が供給される。そして、第１ゲートＩＣ２４０ａは、ＦＰＣ２３０と接続されたゲート制御信号ライン２７０を介して、制御ボード２５０からのゲートスタートパルスＧＳＰが供給される。第２ゲートＩＣ２４０ｂは、第１ゲートＩＣ２２０ａと接続されたゲートＬＯＧ２４４を介して、ゲート制御信号及びゲート駆動電源が供給される。
【００６３】
上記のように、本発明による液晶表示装置に上下左右反転画面を表示するためには、第１データＩＣ２２０ａに、ソーススタートパルスＳＳＰが入力され、第１ゲートＩＣ２４０ａに、ゲートスタートパルスＧＳＰが入力される。そして、タイミングコントローラ２５２は、メモリ５４に保存された１フレームのデータを、反転選択信号ＲＩによって、データ入力順序と相反する順序に出力することによって、データＩＣ２２０ａ〜２２０ｄに水平期間ごとに順方向に入力されるようにする。
【００６４】
この詳細を説明すると次の通りである。
【００６５】
液晶表示装置の画面表示部に正常画面を表示するためには、外部から入力されたソースデータＲＧＢをデータ処理部５２で整列してメモリ部５４に保存する。そして、メモリ部５４に反転選択信号ＲＩが入力されないと、正常画面を表示するために、保存しているデータを入力順に、すなわち、第１、第２、第３及び第４データ信号の順に出力する。
【００６６】
そして、データ制御ライン２６０を介して、ソーススタートパルス（ＳＳＰ）が第１データＩＣ２２０ａに入力されると、データＬＯＧ２２４を介して入力された第１データ信号を順方向にラッチする。
【００６７】
続いて、第１データＩＣ２２０ａに第１データ信号が全てラッチされると、第１データＩＣ２２０ａはキャリー信号を発生させ、このキャリー信号は、キャリー信号ライン２２５を介して第２データＩＣ２２０ｂに入力される。すると、第２データＩＣ２２０ｂは、キャリー信号にイネーブルされ、データＬＯＧ２２４を介して第１データ信号の次に供給された第２データ信号を順方向にラッチする。そして、第３及び第４データ駆動ＩＣ２２０ｃ，２２０ｄも順方向に発生するキャリー信号に応答して、データＬＯＧ２２４を介して供給された第３データ信号及び第４データ信号を順方向にラッチする。
【００６８】
このように、第１乃至第４データＩＣ２２０ａ〜２２０ｄに、順方向に１水平ライン分のデータが全てラッチされると、これらラッチされたデータは同時にアナログデータ信号に変換されてデータラインＤＬに出力される。そして、第１乃至第４データＩＣ２２０ａ〜２２０ｄは、水平期間毎に前述のように順方向にデータをラッチし、ラッチされたデータをアナログ信号に変換してデータラインＤＬに出力する動作を繰り返す。
【００６９】
ゲート制御信号ライン２７０を介して第１ゲート駆動ＩＣ２４０ａに供給されたゲートスタートパルスＧＳＰに応答して、ゲートＩＣ１４０ａ，１４０ｂは順方向に駆動されることによって、最初のゲートラインから最後のゲートラインまで順次に駆動する。
【００７０】
このように、タイミングコントローラ２５２のメモリ部５４が、保存しているデータを入力順に出力し、これら出力されたデータをデータＩＣ２２０ａ〜２２０ｄが順方向にラッチしてデータラインＤＬに供給し、ゲートＩＣ１４０ａ，１４０ｂが順方向にゲートラインＧＬを駆動することで、液晶パネル１１０は正常画面を表示する。
【００７１】
これに対し、液晶表示装置の画面表示部に反転画面を表示するためには、外部から入力されたソースデータＲＧＢをデータ処理部５２で整列してメモリ部５４に保存する。そして、メモリ部５４に上下左右反転選択信号ＲＩが入力されると、反転画面を表示すべく、メモリ部５４は、保存しているデータを入力順序と相反する順序に出力する。言い換えると、メモリ部５４は、下記の表１のように１フレームのデータを保存する。
【００７２】
【表１】
2007272180.tif 000003
【００７３】
上記の表１を参照すると、メモリ部５４には、Ｒ１０、Ｇ１０、Ｂ１０データが入力され、続いてＲ１１、Ｇ１１、Ｂ１１データが入力されるので、液晶パネル２１０の［１、１］番目の画素に対応するＲ１０、Ｇ１０、Ｂ１０データから［ｎ、ｍ］番目の画素に対応するＲｎｍ、Ｇｎｍ、Ｂｎｍデータまで順次に入力されて保存される。そして、メモリ部５４に、反転選択信号ＲＩが入力されると、入力順序と相反するように、Ｒｎｍ、Ｇｎｍ、Ｂｎｍデータが出力され、続いてＲｎ（ｍ−１）、Ｇｎ（ｍ−１）、Ｂｎ（ｍ−１）データが出力されるので、［ｎ、ｍ］番目の画素に対応するＲｎｍ、Ｇｎｍ、Ｂｎｍデータから［１、１］番目の画素に対応するＲ１０、Ｇ１０、Ｂ１０データまで逆順次的に出力される。言い換えると、メモリ部５４は、最後のｎ番目の水平ラインから最初の水平ラインまでの順序に、そして、各水平ラインでは、最後のｍ番目の画素から最初の画素までの順序にデータを出力する。
【００７４】
このように、メモリ部５４から逆順次的に出力されたデータは、水平期間ごとに第１データＩＣ２２０ａに供給されたソーススタートパルスＳＳＰに応答して、第１乃至第４データ駆動ＩＣ２２０ａ〜２２０ｄに順方向に順次にラッチされる。そして、第１乃至第４データ駆動ＩＣ２２０ａ〜２２０ｄは、水平期間ごとにラッチされたデータをアナログデータに変換してデータラインＤＬに出力する。すなわち、メモリ部５４からｎ番目の水平ラインのデータから逆順次的に出力されたデータが、水平期間ごとに第１乃至第４データＩＣ２２０ａ〜２２０ｄに順方向にラッチされデータラインＤＬに供給される。
【００７５】
そして、第１ゲートＩＣ２４０ａに供給されたゲートスタートパルスＧＳＰに応答して、第１及び第２ゲートＩＣ２４０ａ，２４０ｂは順方向に駆動されることによって、ゲートラインＧＬを順次に駆動する。
【００７６】
これにより、第１乃至第４データ駆動ＩＣ２２０ａ〜２２０ｄに逆順次的に供給されて順方向にラッチされたｎ番目の水平ライン分のデータは、最初のゲートラインＧＬが駆動される時に液晶パネル２１０の最初水平ラインに充電される。そして、第１乃至第４データ駆動ＩＣ２２０ａ〜２２０ｄに逆順次的に供給されて順方向にラッチされた最初の水平ライン分のデータは、最後のｎ番目のゲートラインＧＬが駆動される時に液晶パネル２１０のｎ番目の水平ラインに充電される。その結果、液晶パネル２１０には上下左右反転した画面が表示される。
【００７７】
このように、タイミングコントローラ２５２のメモリ部５４が、保存しているデータを入力順序と相反する順序に出力し、該出力されたデータをデータＩＣ２２０ａ〜２２０ｄは順方向にラッチしてデータラインＤＬに供給し、ゲートＩＣ２４０ａ，２４０ｂが順方向にゲートラインＧＬを駆動することによって、液晶パネル１１０は、上下左右反転した画面を表示する。すなわち、本発明による液晶表示装置は、反転画面を表示すべくメモリ部からデータの出力順序を変えて出力することによって、データ駆動ＩＣ２２０ａ〜２２０ｄ及びゲート駆動ＩＣ２４０ａ，２４０ｂを逆方向に駆動する必要がなくなる。したがって、一つのソーススタートパルス（ＳＳＰ）と一つのゲートスタートパルス（ＧＳＰ）のみを用いて、正常画面及び反転画面を液晶パネル２１０に表示することが可能になる。
【図面の簡単な説明】
【００７８】
【図１】一般のＣＯＧ方式の液晶表示装置を概略的に示す図である。
【図２Ａ】従来技術による一つのＦＰＣが備えられた液晶表示装置を示す図である。
【図２Ｂ】従来技術による一つのＦＰＣが備えられた液晶表示装置を示す図である。
【図３】本発明による一つのＦＰＣが備えられた液晶表示装置を示す図である。
【図４】本発明によるタイミングコントローラのブロック図である。
【符号の説明】
【００７９】
２１０    液晶パネル
２５０    制御ボード
２５２    タイミングコントローラ
２５４    電源発生部
５０    信号生成部
５２    データ処理部
５４    メモリ部
２２０ａ，２２０ｂ，２２０ｃ，２２０ｄ    データＩＣ
２２４    データＬＯＧ
２４０ａ，２４０ｂ    ゲートＩＣ
２４４    ゲートＬＯＧ
【図１】
2007272180.tif 000004
【図２Ａ】
2007272180.tif 000005
【図２Ｂ】
2007272180.tif 000006
【図３】
2007272180.tif 000007
【図４】
2007272180.tif 000008